(57)【特許請求の範囲】
【請求項１】
印字テープ作成装置における印字部にテープ状の被印字媒体を搬送させた後、該被印字媒体を切断する装置であって、
被印字媒体が通過するとき対面する受け面に向かって押圧する切断刃と、該切断刃を保持する保持部材と、該保持部材と切断刃とを一体的に摺動自在に支持する支持部材と、前記保持部材を介して切断刃を支持部材内に後退付勢させる弾力付勢部材と、前記支持部材の近傍にて回動して、前記保持部材を押して前記切断刃を前記受け面に向かって押圧するレバーとを備え、
前記支持部材と前記レバーとを、１本の支持軸に対してそれぞれ着脱自在に装着可能且つ回動可能に構成したことを特徴とする被印字媒体の切断装置。
【請求項２】
前記支持部材における摺動部には、前記切断刃の両端部を覆うカバー部を設け、保持部材には前記切断刃を回動自在で且つ抜け不能にするための突起を設けたことを特徴とする請求項１に記載の被印字媒体の切断装置。
【発明の詳細な説明】
【０００１】
【産業上の利用分野】
本発明は、サーマルヘッド等の印字部及びプラテンと、テープ搬送手段とを備え、予め入力されたデータに応じて文字や図形等の画像をテープ状の被印字媒体に印字するための印字テープ作成装置に設けた被印字媒体の切断装置の構成に関するものである。
【０００２】
【従来の技術】
本出願人は、先に実開平４−８９３５９号公報において、レセプタータイプのラベル表示等のための印字テープ作成装置を提案した。この装置は、被印字媒体である印字用のテープとインクリボンとを格納したカセットケースを、印字テープ作成装置におけるカセット収納部に着脱自在に装着できるように構成し、該カセット収納部には、サーマルヘッドを備えた印字部と、該印字部に対して接離するローラ状のプラテンと、前記インクリボンの巻取り手段等を備え、印字テープ作成装置に予め入力したデータに基づいてカセットケースからテープを適宜速度で引き出される途中において、当該テープに文字列等の画像を印字するものであり、印字済のテープを所定の長さに切断するための切断装置を備えていた。
【０００３】
そして、このテープ切断装置は、被印字媒体とインクリボンとを収納したテープカセットケースにおける、印字済の被印字媒体の出口面を切断刃の刃先の受け面となし、この受け面を通過するテープ状の被印字媒体を切断刃にていわゆる押し切りするタイプのものであって、印字テープ作成装置に設けた回動操作レバーの支持軸と平行に配置した回動支軸に、前記切断刃が装着された支持部材を回動可能に装着し、該支持部材と回動操作レバーとには互いに噛み合う扇状の噛み合い歯を形成し、回動操作レバーの回動にて前記支持部材を回動させて、切断刃が被印字媒体を切断する構成であった。
【０００４】
この構成によれば、切断刃の切れ味が劣化したとき、前記支持部材と一体的に切断刃を、当該切断刃に使用者の指が触れることなく交換するため、特殊な構造のカッタアタッチメントを使用して前記回動支軸から抜き取るというものであった。
【０００５】
【発明が解決しようとする課題】
しかしながら、前記先行技術によれば、使用済の切断刃と支持部材とを、前記カッタアタッチメントと一緒に廃棄すれば、安全であるが、新しい切断刃と支持部材とを、前記回動支軸に装着した後、取り出したカッタアタッチメントを次回の交換時まで保管しておかなければならず、切断刃は支持部材上に露出しているから、前記カッタアタッチメントを失えば、切断刃の交換時に指が触れ易く、また、カセットケースのみの交換時には、前記カッタアタッチメントを使用しないから前記常時露出した切断刃で指を怪我する危険があった。
【０００６】
本願発明は、前記の問題を解決すべくなされたものであって、切断刃交換作業やカセットケースの交換時に切断刃にて怪我しないようにした、安全性の高い被印字媒体の切断装置を提供することを目的とするものである。
【０００７】
【課題を解決するための手段】
前記目的を達成するため、請求項１に記載の発明の被印字媒体の切断装置は、印字テープ作成装置における印字部にテープ状の被印字媒体を搬送させた後、該被印字媒体を切断する装置であって、被印字媒体が通過するとき対面する受け面に向かって押圧する切断刃と、該切断刃を保持する保持部材と、該保持部材と切断刃とを一体的に摺動自在に支持する支持部材と、前記保持部材を介して切断刃を支持部材内に後退付勢させる弾力付勢部材と、前記支持部材の近傍にて回動して、前記保持部材を押して前記切断刃を前記受け面に向かって押圧するレバーとを備え、前記支持部材と前記レバーとを、１本の支持軸に対してそれぞれ着脱自在に装着可能且つ回動可能に構成したものである。
【０００８】
請求項２記載の発明は、請求項１に記載の被印字媒体の切断装置において、前記支持部材における摺動部には、前記切断刃の両端部を覆うカバー部を設け、保持部材には前記切断刃を回動自在で且つ抜け不能にするための突起を設けたものである。
【０００９】
【実施例】
次に、本発明を具体化した実施例について説明する。図１は印字テープ作成装置１の概略平面図、図２はカセットケース及び切断装置の要部斜視図を各々示す。
【００１０】
印字テープ作成装置１における下ケース２に嵌合する上ケース３の上面には、電源スイッチや文字等を入力するためのキーや各種操作用キーが配列されたキーボード４、及び入力された文字や操作指示を表示するための液晶等の表示部等（図示しない）が配置され、上下ケース３，２間には機械的機構部及び図示しないが制御のためのマイクロコンピュータ等が内蔵されている。
【００１１】
下ケース２の下面側には、図示しないが、後述するカセットケース５を着脱自在に収納するための収容部を覆うカバー体が開閉自在に設けられている。また、上下ケース３，２の一側には、カセットケース５から引き出されつつ印字されたテープ６を切断するための回動操作レバー７がその自由端側が露出するように配置されている。
【００１２】
次に、テープ６の搬送手段及び印字部の構成について説明すると、カセットケース５が配置される箇所に配置されたフレーム９には、印字部１０の支持板１０ａ、駆動モータ１４及びプラテンホルダ１２のための枢支軸１３と、後述する切断装置１６のための支持軸１７等が装着されている。合成樹脂製のカセットケース５内にて、リールに巻かれて収納されている被印字媒体の一例としての感熱紙からなるテープ６が、カセットケース５の一側端の出口８から引き出され、印字するためのサーマルヘッドからなる印字部１０と、該サーマルヘッドにおける発熱素子１０ｂに接離するプラテンローラ１１との間にテープ６が挿通される。前記収納部カバー体を閉じるとき、前記プラテン１１が備えられたプラテンホルダ１２がリンク及び引張バネを介して枢支軸１３の回りに回動し、プラテンローラ１１にてテープ６を前記発熱素子１０ｂに向かって押圧挟持する。この状態で、前記プラテン１１は駆動モータ１４から図示しない歯車機構を介して駆動されると、テープ６はカセットケース５の一側の受け面１５と切断装置１６との間を通過して、上下ケース３，２の一側に開口した放出部から外に放出される。
【００１３】
次に、図２〜図５を参照しながら、前記送り出されたテープ６を幅方向に切断するための切断装置１６の構成について説明する。本実施例の切断装置１６は、テープ６が図５の矢印Ａ方向に通過するときカセットケース５の受け面５ａと、前記テープ６を受け面５ａに押圧して、いわゆる押し切り切断するための切断刃１８と、該切断刃１８を保持するための板状の保持部材１９と、この保持部材１９を切断刃１８と共に摺動自在に支持するための支持部材２０と、切断刃１８を常時は支持部材２０内に引き込めるように弾力付勢させるための弾力付勢部材としてのねじりコイルばね２１と、回動操作レバー７などからなり、保持部材１９、支持部材２０及び回動操作レバー７は合成樹脂材の射出成形品である。
【００１４】
切断刃１８はほぼ長方形であって片刃であり、広幅面の中途部には装着用の丸孔２２が穿設されている。保持部材１９の表面には、前記切断刃１８の丸孔２２に嵌まって回動可能な突起２３が突設されており、また、切断刃１８が前記突起２３の箇所を中心に回動するとき、保持部材１９の表面との摩擦箇所を少なくするように筋状の当接部２４，２４を設けると共に、所定角度以上に回動しないように規制するストッパー２５，２５が設けられている。
【００１５】
他方、支持部材２０には前記切断刃１８と保持部材１９とが一体的に摺動可能な上下一対の摺動部２６，２６が前記カセットケース５の受け面１５に向かって開放するように設けられ、各摺動部２６の片辺が切断刃１８の広幅面を覆うカバー部２７となる。また、前記上下一対のカバー部２７，２７の間は、前記保持部材１９の背部１９ａが露出するように構成されている。前記支持部材２０には、フレーム９から突出する支持軸１７に回動自在に被嵌するほぼ円筒状のボス部２８が一体的に突設され、このボス部２８の外周には前記捩じりコイルばね２１のコイル部が遊嵌し、捩じりコイルばね２１の一端２１ａは支持部材２０における前記受け面１５と平行な案内板２９の溝部（図示せず）に係止され、捩じりコイルばね２１の他端２１ｂは前記保持部材１９の背部１９ａに穿設された係止孔３０に係止し、保持部材１９が常には摺動部２６，２６の奥側に引き込まれ、従って切断刃１８の刃面１８ａがカバー部２７，２７内に隠れるように弾力付勢されている。
【００１６】
また、前記ボス部２８を一部切欠いて形成した弾性片２８ａには前記支持軸１７の端部に凹み形成した段部３１（図６参照）に嵌合する突部（図示せず）が設けられ、支持部材２０が不用意に支持軸１７から脱落しないように構成されている。
【００１７】
なお、回動操作レバー７には前記支持軸１７における基端側（フレーム９側））に嵌まる孔３２ａを有するボス部３２が設けられており、また、回動操作レバー７の内面には、当該回動操作レバー７を図５の矢印Ｂ方向に回動させるとき、前記保持部材１９における背部１９ａを受け面１５方向に押圧するための押圧片３３が一体的に突設されている。
【００１８】
また、テープ６切断時に回動操作レバー７からの外力にて切断刃１８を受け面１５に対して直角に押しつけするので、このときカセットケース５が後退しないように、金属製のフレーム９から屈曲させて立ち上げ、受け面１５とほぼ直角方向に長いカセット受け部材３４が嵌まる装着孔３５を前記カセットケース５に穿設してあり、前記外力をカセット受け部材３４にて受けるように構成されている。
【００１９】
以上の構成により、印字テープ作成装置１のキーボード４によって、印字したい文字等を入力した後、印字指令スイッチを押すと、印字部１０の発熱素子１０ｂに電圧印加すると共に駆動モータ１４が駆動し、感熱紙からなるテープ８は前記印字部１０にて印字されながら回転するプラテンローラ１１にて受け面１５方向に送り出される。
【００２０】
印字終了後、回動操作レバー７を図５の矢印Ｂ方向に回動させると、押圧片３３にて保持部材１９の背部１９ａを受け面１５方向に押し、当該保持部材１９に装着されている切断刃１８は摺動部２６に沿って移動し、この切断刃１８の刃面１８ａは支持部材２０の端面から突出してテープ６をカセットケース５における受け面１５に押しつけて切断することになる。この時の外力はカセット受け部材３４にてしっかりと受け止められるので、テープの切断が不完全になることがない。また、図３、図５に示すように、前記保持部材１９における突起２３の箇所を中心にして切断刃１８が回動可能となり、当該切断刃１８の刃先でカセットケース５の受け面１５表面に位置するテープ６を押し切りするとき、切断刃１８の刃先がテープ６ひいては受け面１５の表面と平行状に沿い刃先が片当たりせず、テープ６を幅方向に完全に切断することができる。
【００２１】
回動操作レバー７の切断作業時の回動方向は上下ケース３，２の横側面に接近させる方向であるから、上下ケース３，２の横幅寸法を小さくすれば、片手で印字テープ作成装置１を掴んだままテープ切断作業もできるという効果を奏する。
【００２２】
回動操作レバー７に対する外力を除去すると、前記捩じりコイルばね２１の付勢力にて、保持部材１９を支持部材２０の摺動部２６内に引き込むように弾力付勢するので、切断刃１８の刃面１８ａが支持部材２０から露出せず、従って、カセットケース５の交換時において、切断装置１６の近傍にユーザーの指を近付けても怪我することはない。
【００２３】
そして、前記切断刃１８の切れ味が鈍ると、支持軸１７に沿って支持部材２０を引き抜くと、ボス部２８における弾性片２８ａの突起が段部３１から外れ、切断刃１８ごと、簡単に交換することができるのである。支持軸１７の基端側に回動操作レバー７のボス部３２を被嵌し、支持軸１７の自由端側に支持部材２０のボス部２８を被嵌するように構成すれば、回動操作レバー７を取り除くことなく、支持部材２０を外せるから切断刃１８の交換作業は一層簡単になる。
【００２４】
また、本発明の被印字媒体（テープ）の切断装置は、インクリボンとテープとを内蔵して上下両面を覆ったカセットケース（図示せず）を使用する印字テープ作成装置に対しても適用できるし、ラミネートタイプの被印字媒体、つまり、印字部において、インクリボンを介して透明のテープの裏面に鏡文字を印字した後、当該印字された面に両面接着テープを貼着し、このラミネートタイプの被印字媒体を所定の長さに切断する場合にも、前記と同様に適用できることはいうまでもない。
【００２５】
【発明の作用・効果】
以上に説明したように、請求項１に記載の発明の被印字媒体の切断装置は、印字テープ作成装置における印字部にテープ状の被印字媒体を搬送させた後、該被印字媒体を切断する装置であって、被印字媒体が通過するとき対面する受け面に向かって押圧する切断刃と、該切断刃を保持する保持部材と、該保持部材と切断刃とを一体的に摺動自在に支持する支持部材と、前記保持部材を介して切断刃を支持部材内に後退付勢させる弾力付勢部材と、前記支持部材の近傍にて回動して、前記保持部材を押して前記切断刃を前記受け面に向かって押圧するレバーとを備えたものである。
【００２６】
従って、常には、弾力付勢部材の力により、切断刃が保持部材と共に、支持部材内に後退して外に露出していないから、カセットケースの交換にユーザーの指が切断刃の刃先に触れるおそれが無くなり、また、切断刃の交換においても、前記保持部材及び切断刃が露出していな状態で支持部材と一体的に外せば良く、やはり指を怪我する危険が無くなるという効果を奏する。
【００２７】
しかも、本発明では、前記支持部材と前記レバーとを、１本の共通の支持軸に対してそれぞれ着脱自在に装着可能且つ回動可能に構成したものであるから、両部材の装着箇所がコンパクトになる。
【００２８】
請求項２記載の発明は、請求項１に記載の被印字媒体の切断装置において、前記支持部材における摺動部には、前記切断刃の両端部を覆うカバー部を設け、保持部材には前記切断刃を回動自在で且つ抜け不能にするための突起を設けたものである。
【００２９】
従って、支持部材内に後退した状態の切断刃の両端部がカバー部にて覆われるから、ユーザーの指が触れる機会が一層少なくなって、安全性が向上する。また、突起によって保持部材に対して切断刃が不用意に抜け出さず、且つ切断刃の刃先を受け面に押しつけるとき、前記突起箇所を中心に回動して、刃先全体が均等に受け面に当接し、テープ状の被印字媒体を一挙に綺麗に切断することができるという効果を奏するのである。
【図面の簡単な説明】
【図１】本発明の印字テープ作成装置の平面図である。
【図２】カセットケース及び切断装置の一部の斜視図である。
【図３】切断装置における支持部材、保持部材及び切断刃の斜視図である。
【図４】回動操作レバーの斜視図である。
【図５】図２のＶ−Ｖ線矢視断面図である。
【図６】図５のVI−VI線矢視断面図である。
【符号の説明】
１      印字テープ作成装置
５      カセットケース
６      被印字媒体としてのテープ
７      回動操作レバー
１０      印字部
１５    受け面
１６      切断装置
１７      支持軸
１８      切断刃
１９      保持部材
２０      支持部材
２１      捩じりコイルばね
２６      摺動部
２７      カバー部
３３      押圧片
３４      カセット受け部材
３５      装着孔
【図１】
0003579939.tif 000002
【図２】
0003579939.tif 000003
【図３】
0003579939.tif 000004
【図４】
0003579939.tif 000005
【図５】
0003579939.tif 000006
【図６】
0003579939.tif 000007